(57)【要約】【課題】照明ユニットの発光面を部分的に点消滅表示する場合にその区分け部分を明確に表示できる照明ユニットを提供することである。【解決手段】外径が円形又は多角形で形成されたブロック１１内部に、光を反射する複数の凹み形状の反射板１３と、その反射板１２の凹み底部が位置するブロック底部にＬＥＤ１４とを配置する。ＬＥＤ１４の直射光及び反射板１３の反射光は、反射板１３の前面側の発光面を形成するフェースプレート１６から外部に出光される。反射板１３のフェースプレート１６と接する部分には、フェースプレート１６の前面側を直線で仕切る仕切板１２が形成され、この仕切板１２はフェースプレート１６に対して直角方向に切り立って形成されている。これにより、発光面を部分的に点消滅表示する場合にその境界部分を明確に表示できる。【選択図】  図１
2004287143.tif 000002
【特許請求の範囲】
【請求項１】
外径が円形又は多角形で形成されたブロックと；
前記ブロック内部に形成され光を反射する複数の凹み形状の反射板と；
前記反射板の凹み底部が位置する前記ブロック底部に設けられたＬＥＤと；
前記ブロックの前記反射板の前面側に取り付けられ前記ＬＥＤからの直射光及び前記反射板からの反射光を外部に出光するフェースプレートと；
前記反射板の端部が前記フェースプレートと接する部分に前記フェースプレートに対して直角方向に切り立って形成され前記フェースプレートの前面側を直線で仕切る仕切板と；
を備えたことを特徴とする照明ユニット。
【請求項２】
複数個の前記ブロックを縦方向又は横方向に配置したことを特徴とする請求項１記載の照明ユニット。
【請求項３】
前記反射板の反射面の表面に、メッキ又は蒸着又は鏡面シートを取り付けたことを特徴とする請求項１又は請求項２記載の照明ユニット。
【発明の詳細な説明】
【０００１】
【発明の属する技術分野】
本発明は、例えば、自動車の後部に取り付けられるハイマウントストップランプや遊技機の表示器などに用いられる照明ユニットに関する。
【０００２】
【従来の技術】
一般に、ハイマントストップランプや遊技機の表示器などの照明ユニットは、その光源として電球やＬＥＤ（発光ダイオード）が用いられている。例えば、自動車のストップランプの光源としてＬＥＤを用いたもの（例えば、特許文献１参照）や遊技機の表示器の光源としてＬＥＤを用いたものがある（例えば、特許文献２参照）。
【０００３】
【特許文献１】
特開２００３−３６７０８号公報
【０００４】
【特許文献２】
特開２００３−５２９１８号公報
【０００５】
【発明が解決しようとする課題】
ところが、自動車のストップランプに使用される照明ユニットでは、ＬＥＤは点滅を繰り返すだけの機能のものが多く、方向を指し示す機能や注意をより促す機能などはなかった。また、遊技機で使用される証明ユニットでは、大当たりなどの演出時には徐々にＬＥＤはフェードアウトするようになっているが、照明ユニットの発光面の一部を点滅表示させる場合に、その区分け部分を明確に表示して表示効果を演出するようになっていなかった。
【０００６】
本発明の目的は、照明ユニットの発光面を部分的に点消滅表示する場合にその区分け部分を明確に表示できる照明ユニットを提供することである。
【０００７】
【課題を解決するための手段】
請求項１の発明に係わる照明ユニットは、外径が円形又は多角形で形成されたブロックと；前記ブロック内部に形成され光を反射する複数の凹み形状の反射板と；前記反射板の凹み底部が位置する前記ブロック底部に設けられたＬＥＤと；前記ブロックの前記反射板の前面側に取り付けられ前記ＬＥＤからの直射光及び前記反射板からの反射光を外部に出光するフェースプレートと；前記反射板の端部が前記フェースプレートと接する部分に前記フェースプレートに対して直角方向に切り立って形成され前記フェースプレートの前面側を直線で仕切る仕切板と；を備えたことを特徴とする。
【０００８】
本発明及び以下の発明において、特に指定しない限り用語の定義及び技術的意味は以下による。
【０００９】
照明ユニットは、例えば自動車の後部に取り付けられるハイマウントストップランプや遊技機の表示器などの各種表示装置に用いられ、方向を指し示す表示やより注意を促す表示、さらにはアミューズメント表示を行うものであり、一つのブロック又は複数個のブロックから構成される。ブロックは、外径が円形又は多角形の箱体で形成され、ブロック内部には光を反射する複数の凹み形状の反射板を有し、反射板の前面にはＬＥＤからの直射光や反射板からの反射光を外部に出光するフェースプレートが設けられる。このフェースプレートにより発光面を形成する。
【００１０】
凹み形状の反射板はすり鉢状にブロック内部に収納され、そのすり鉢状の底部に光源である一つ又は複数のＬＥＤが配置される。また、フェースプレートと接する反射板の端部にはフェースプレートの前面側を直線で仕切る仕切板が形成され、一つのブロックを複数個の部屋に仕切る。従って、一つのブロックは少なくとも２個の部屋に仕切られ、各々の部屋には光源である一つ又は複数のＬＥＤが配置される。
【００１１】
一つのブロックを複数個の部屋に仕切る仕切板のうち、少なくとも２個の部屋に仕切る仕切板は、フェースプレートに対して直角方向に切り立って形成される。これにより、隣り合う部屋のＬＥＤからの光を遮光し、照明ユニットの発光面の区分け部分（境界部分）を明確に表示できるようにしている。
【００１２】
本発明によれば、一つのブロックを複数個の部屋に仕切る仕切板のうち、少なくとも２個の部屋に仕切る仕切板は、フェースプレートに対して直角方向に切り立って形成されるので、照明ユニットの発光面を部分的に点消滅表示する場合に、その境界部分を明確に表示できる。従って、方向を指し示す表示やより注意を促す表示、さらにはアミューズメント表示を鮮明に表示できる。
【００１３】
請求項２の発明に係わる照明ユニットは、請求項１の発明において、複数個の前記ブロックを縦方向又は横方向に配置したことを特徴とする。
【００１４】
本発明は、複数個のブロックを用いて照明ユニットを構成したものである。照明ユニットの発光面の面積を大きくしたい場合には、複数個のブロックを縦方向又は横方向に配置して発光面を大きくした照明ユニットを構成する。本発明によれば、請求項１の発明の効果に加え、一つのブロック単位で照明ユニットの発光面の大きさを用途に応じて大きくできる。
【００１５】
請求項３の発明に係わる照明ユニットは、請求項１又は請求項２の発明において、前記反射板の反射面の表面に、メッキ又は蒸着又は鏡面シートを取り付けたことを特徴とする。
【００１６】
本発明は、反射板の反射面の表面に、メッキ又は蒸着又は鏡面シートを取り付け、反射板での光の反射の効率を高めたものである。本発明によれば請求項１又は請求項２の発明の効果に加え、フェースシートを介して得られる発光面の出射光が増加するので、より効率よく照明できる。
【００１７】
【発明の実施の形態】
以下、本発明の実施の形態を説明する。図１は本発明の第１の実施の形態に係わる照明ユニットの構成図であり、図１（ａ）は正面図、図１（ｂ）は側面図である。図１では、外径が四角形の６個のブロック１１を有し各々のブロック１１は仕切板１２により４個の部屋に仕切られた照明ユニットを示している。
【００１８】
各々のブロック１１は外径が四角形の箱体で形成され、ブロック１１の内部には光を反射する複数の凹み形状の反射板１３が設けられている。凹み形状の反射板１３はすり鉢状にブロック１１の内部に収納され、そのすり鉢状の底部に光源である一つ又は複数のＬＥＤ１４が配置される。ＬＥＤ１４は回路基板１５に実装され図示省略の点灯制御装置により点滅制御される。そして、反射板１２の前面側にはＬＥＤ１４からの直射光や反射板１３からの反射光を外部に出光するフェースプレート１６が設けられる。このフェースプレート１６により発光面が形成される。
【００１９】
図２は図１に示した６個のブロック１１の集合体の説明図であり、図２（ａ）は正面図、図２（ｂ）は背面図、図２（ｃ）は図２（ａ）のＡ−Ａ’線での断面図である。また図２（ｄ）は反射板１３の別の断面形状を示す断面図である。図２（ａ）に示すように、ブロック形状が四角形で対角を結ぶ直線上の仕切板１２により４個の領域に分割されている。分割された部分は、三角錐状の凹み形状の反射板１３が配置されており、その底部にはＬＥＤ１４を取り付けるための角穴が貫通して設けられている。図２（ｂ）に示すように、ブロック１１の集合体の背面は、回路基板１５に実装されたＬＥＤ１４が挿入される角穴１７が形成され、ブロック１１の集合体を回路基板１５に配置したときにこの角穴１７にＬＥＤ１４が挿入される。このＬＥＤ１４から発光した光は反射板１３の反射面で反射し前面に出射する。なお、反射板１３の反射面の表面は、より高い反射率が求められる場合には、メッキ又は蒸着又は鏡面シートを貼り付けることになる。
【００２０】
次に、図２（ｃ）に示すように、仕切板１２は反射板１３の端部に形成され、フェースプレート１６と接している。この仕切板１２はフェースプレート１６の前面側の発光面を直線で仕切ることになる。なお、発光面側の前面には拡散性を持たせたフェースプレート１６が配置されており、より面光源に近い状態にしているが、用途によって光学特性を満足しないようなときには、適宜、拡散率や透過率を変化させて対応する。仕切板１２のうち、少なくとも２個の部屋に仕切る仕切板１２は、フェースプレート１６に対して直角方向に切り立って形成される。これにより、隣り合う部屋のＬＥＤ１４からの光を遮光し、照明ユニットの発光面の区分け部分（境界部分）を明確に表示できるようにしている。
【００２１】
すなわち、ＬＥＤ１４からフェースプレート１６への光は、直接的にフェースプレート１６に出射する直射光と反射板１３の反射光であるが、仕切板１２の部位Ｘ、仕切板１２の切り立ち部位Ｙ、反射板１３の凹み部位Ｚにおける反射波の光量は、Ｙ＞Ｚ＞Ｘとなる。仕切板１２の切り立ち部位Ｙの反射波の光量が多くなり、仕切板１２の部位Ｘでの反射波の光量は仕切板１２の切り立ち部位Ｙで遮光されるのでほとんどなくなる。従って、仕切板１２の部分は発光面の区分け部分（境界部分）として鮮明に表示できる。なお、切り立ち部位Ｙを設けない場合においても仕切板１２の部位Ｘでの反射波の光量は少なくなるので、発光面での区分け部分（境界部分）は多少暗くなる。図２（ｃ）では、反射板１３の凹み部位Ｚは直線形状にしたが、図２（ｄ）に示すように、ある曲率を持った凹面形状としても良い。この場合は直線形状の場合よりも多少明るくなる。
【００２２】
ここで、切り立ち部位Ｙを有した仕切板１２は、少なくとも２個の部屋を仕切る仕切板１２に用いられる。図２では、一つのブロックを４部屋に仕切っているが、例えば、右肩上がりの対角線上の仕切板１２に切り立ち部位Ｙを形成し、右肩下がりの対角線上の仕切板１２には切り立ち部位Ｙを設けないようにする。もちろん、一つのブロックを仕切るすべての仕切板１２に設けても良い。
【００２３】
図３は、第１の実施の形態における照明ユニットの表示形態の説明図であり、図３（ａ）は右方向を指し示す表示形態の説明図、図３（ｂ）は右下斜め方向を指し示す表示形態の説明図、図３（ｃ）は下方向を指し示す表示形態の説明図である。図３（ａ）は右方向を指し示す表示形態であり、４個に区分されたブロック１１内の各々の左側△部屋のＬＥＤ１４を点灯して右方向を指し示している。また、図３（ｂ）は右下斜め方向を指し示す表示形態であり、４個に区分されたブロック１１内の各々の右側及び下側△部屋のＬＥＤ１４を点灯して右下斜め方向を指し示している。同様に、図３（ｃ）は下方向を指し示す表示形態であり、４個に区分されたブロック１１内の各々の上側△部屋のＬＥＤ１４を点灯して下方向を指し示している。なお、ＬＥＤ１４は図示省略の点灯制御装置により点灯制御される。
【００２４】
このように、ＬＥＤ１４の点灯はブロック１１内の４個の部屋の点滅パターンと、６個のブロック１１の点滅パターンで方向を指し示す機能を持たせる。また、点滅パターンとして、６個のブロック１１の点滅に時間差（順序）を持たせることにより△の矢印を移動しているように動きの表示もできる。このような点灯の順次パターンの点滅制御は、予め点灯順次パターンを点灯制御装置に記憶させておき、点灯制御装置により点灯制御を行う。
【００２５】
以上の説明では、一つのブロック１１は４個の部屋に区切る場合について説明したが、２個や３個あるいは５個以上に区切るようにしても良い。また、部屋の外径は三角形状のものを示したが、四角形や五角形等の多角形状としても良い。また、６個のブロック１１を有した場合について説明したが、１個又は２個以上のブロック１１を用いるようにしても良い。
【００２６】
第１の実施の形態によれば、一つのブロックを複数個の部屋に仕切る仕切板のうち、少なくとも２個の部屋に仕切る仕切板は、フェースプレートに対して直角方向に切り立って形成されるので、照明ユニットの発光面を部分的に点消滅表示する場合に、その境界部分を明確に表示できる。従って、方向を指し示す表示やより注意を促す表示、さらにはアミューズメント表示を鮮明に表示できる。また、点灯制御装置により、ＬＥＤを所定の点滅パターンで点灯させるので、より効果的な表示が可能となる。
【００２７】
次に、本発明の第２の実施の形態を説明する。図４は本発明の第２の実施の形態に係わる照明ユニットの構成図であり、図４（ａ）は正面図、図４（ｂ）は表示形態の説明図である。この第２の実施の形態は、第１の実施の形態に対し、ブロック１１の外径を多角形に代えて円形としたものである。これに伴い、仕切板１２で仕切られた部屋の外径形状は扇形となる。第１の実施の形態と同一要素には同一符号を付し重複する説明は省略する。
【００２８】
図４（ａ）では、外径が円形の６個のブロック１１で構成され、各々のブロック１１は仕切板１２により４個の部屋に仕切られた照明ユニットを示している。各々のブロック１１は外径が円形の円筒型箱体で形成され、第１の実施の形態と同様に、ブロック１１の内部には光を反射する複数の凹み形状の反射板１３が設けられている。凹み形状の反射板１３はすり鉢状にブロック１１の内部に収納され、そのすり鉢状の底部に光源である一つ又は複数のＬＥＤ１４が配置される。ＬＥＤ１４は回路基板１５に実装され図示省略の点灯制御装置により点滅制御される。そして、反射板１２の前面側にはＬＥＤ１４からの直射光や反射板１３からの反射光を外部に出光するフェースプレート１６が設けられる。このフェースプレート１６により発光面が形成される。
【００２９】
図４（ｂ）は右方向を指し示す表示形態の説明図であり、４個に区分されたブロック１１内の各々の左側扇部屋のＬＥＤ１４を点灯して右方向を指し示している。また、点滅パターンとして、６個のブロック１１の点滅に時間差（順序）を持たせることにより扇のかなめ部分の方向に移動しているように動きの表示もできる。このような点灯の順次パターンの点滅制御は、予め点灯順次パターンを点灯制御装置に記憶させておき、点灯制御装置により点灯制御を行う。
【００３０】
第２の実施の形態によれば、ブロック１１の外径形状を円形にしたので、各種の用途に応じて曲線を表示できるので、方向を指し示す表示やより注意を促す表示、さらにはアミューズメント表示を鮮明にかつ多彩に表示でき、高付加価値のある照明ユニットを提供できる。
【００３１】
【発明の効果】
請求項１の発明によれば、一つのブロックを複数個の部屋に仕切る仕切板のうち、少なくとも２個の部屋に仕切る仕切板は、フェースプレートに対して直角方向に切り立って形成されるので、照明ユニットの発光面を部分的に点消滅表示する場合に、その境界部分を明確に表示できる。従って、方向を指し示す表示やより注意を促す表示、さらにはアミューズメント表示を鮮明に表示できる。
【００３２】
請求項２の発明によれば、請求項１の発明の効果に加え、一つのブロック単位で照明ユニットの発光面の大きさを用途に応じて大きくできる。請求項３の発明によれば請求項１又は請求項２の発明の効果に加え、フェースシートを介して得られる発光面の出射光が増加するので、より効率よく照明できる。
【図面の簡単な説明】
【図１】本発明の第１の実施の形態に係わる照明ユニットの構成図。
【図２】図１に示した６個のブロックの集合体の説明図。
【図３】第１の実施の形態における照明ユニットの表示形態の説明図。
【図４】本発明の第１の実施の形態に係わる照明ユニットの構成図。
【符号の説明】
１１…ブロック、１２…仕切板、１３…反射板、１４…ＬＥＤ、１５…回路基板、１６…フェースプレート、１７…角穴
【図１】
2004287143.tif 000003
【図２】
2004287143.tif 000004
【図３】
2004287143.tif 000005
【図４】
2004287143.tif 000006